(57)【要約】      （修正有）【課題】ディスクケースの取り出しが容易なディスクケース用収納ボックスを提供する。【解決手段】少なくとも下部が前記ボックス本体１１内に位置して蓋体３１の上下回動により昇降する昇降用部材４２と、前記昇降用部材４２の下部に一端側が上下回動可能に連結されてディスクケースの下方位置にディスクケースの厚み方向に沿って配置され、蓋体３１がディスクケース収納部１３に蓋をしている状態から上方へ回動して開放状態となることにより昇降用部材４２との連結端部側が上昇して傾斜する傾斜用部材４５とを備え、前記傾斜用部材４５の上方に収納された前記複数のディスクケースの下面を前記傾斜用部材４５の傾斜により上方へ押し上げると共に、前記傾斜用部材４５の傾斜にしたがって前記複数のディスクケースの上端間に段差を形成する。【選択図】図５
2006321514.tif 000002
【特許請求の範囲】
【請求項１】
ディスクケースを厚み方向に複数個並べて立てた状態で収納可能なディスクケース収納部を有し、前記ディスクケース収納部の上部がディスクケースの収納及び取り出し口として開口しているボックス本体と、
前記ボックス本体に上下回動可能に取り付けられて上方回動により前記ディスクケース収納部の上部を開放し、下方回動により前記ディスクケース収納部に蓋をする蓋体と、
を備えるディスクケース用収納ボックスにおいて、
少なくとも下部が前記ボックス本体内に位置して前記蓋体の上方回動により上昇し、下方回動により下降する昇降用部材と、
前記昇降用部材の下部に一端側が上下回動可能に連結されて前記ディスクケースの下方位置に前記ディスクケースの厚み方向に沿って配置され、前記蓋体が前記ディスクケース収納部に蓋をしている状態から上方へ回動して開放状態となることにより前記昇降用部材との連結端部側が上昇して傾斜する傾斜用部材と、
を備え、
前記傾斜用部材の上方に収納された前記複数のディスクケースの下面を前記傾斜用部材の傾斜により上方へ押し上げて前記複数のディスクケースの上端間に段差を形成するようにしたことを特徴とするディスクケース用収納ボックス。
【請求項２】
ディスクケースを厚み方向に複数個並べて立てた状態で収納可能なディスクケース収納部を有し、前記ディスクケース収納部の上部がディスクケースの収納及び取り出し口として開口しているボックス本体と、
前記ボックス本体に上下回動可能に取り付けられて上方回動により前記ディスクケース収納部の上部を開放し、下方回動により前記ディスクケース収納部に蓋をする蓋体と、
を備えるディスクケース用収納ボックスにおいて、
少なくとも下部が前記ボックス本体内に位置して前記蓋体の上方回動により上昇し、下方回動により下降する可動部材を備え、
前記可動部材は、前記ディスクケースの下方位置に配置される底板部を有すると共に、前記底板部の上面には、前記蓋体が前記ディスクケース収納部に蓋をしている状態から上方へ回動して開放状態となる際の前記可動部材の上昇によって前記ディスクケースの下面を押し上げる複数の押し上げ部を、前記複数のディスクケースにおけるそれぞれの下面と対向する位置に備え、かつ隣り合うディスクケース用の押し上げ部同士については、前記ディスクケースの下面における反対端部側を押し上げて隣り合うディスクケースを反対側へ傾斜させるように設けたことを特徴とするディスクケース用収納ボックス。
【発明の詳細な説明】
【技術分野】
【０００１】
この発明は、ＣＤやＤＶＤなどの記録媒体ディスクが着脱可能に収容される平面視略矩形のディスクケースを、厚み方向に複数個並べて収納可能なディスクケース用収納ボックスに関する。
【背景技術】
【０００２】
前記ディスクケース用収納ボックスは、家庭内で使用されるものや、自動車内でコンソールボックスとして使用されるものなどがある。従来、前記ディスクケース用収納ボックスとして、例えば、図１８の斜視図及びその正面図である図１９に示すディスクケース用収納ボックス９０がある。前記ディスクケース用収納ボックス９０は、ディスクケース収納部９１の底面に、仕切用リブ９２が所定間隔で複数立設されていて、前記リブ９２間にディスクケース９５を立てて複数個厚み方向に並べた並列状態で収納するようになっている。
【０００３】
しかし、従来のディスクケース用収納ボックス９０にあっては、仕切用リブ９２を介して隣り合うように収納されたディスクケース９５同士は、ディスクケース９５間に前記仕切用リブ９２による僅かな隙間Ｓが存在するものの、前記ディスクケース９５の外周縁が、前記ディスクケース収納部９１の長さ方向Ｌに対して一直線に並んで重なるため、目的のディスクケース、例えば図１９に示すディスクケース９５ａを取り出す際に、隣のディスクケース９５ｂ．９５ｃに邪魔されて目的のディスクケース９５ａを掴み難く、取り出し難い問題がある。
【特許文献１】特開平８−２４０５８号公報
【特許文献２】実開平６−８１９９１号公報
【発明の開示】
【発明が解決しようとする課題】
【０００４】
この発明は前記の点に鑑みなされたもので、ディスクケースの取り出しが容易なディスクケース用収納ボックスの提供を目的とする。
【課題を解決するための手段】
【０００５】
請求項１の発明は、ディスクケースを厚み方向に複数個並べて立てた状態で収納可能なディスクケース収納部を有し、前記ディスクケース収納部の上部がディスクケースの収納及び取り出し口として開口しているボックス本体と、前記ボックス本体に上下回動可能に取り付けられて上方回動により前記ディスクケース収納部の上部を開放し、下方回動により前記ディスクケース収納部に蓋をする蓋体と、を備えるディスクケース用収納ボックスにおいて、少なくとも下部が前記ボックス本体内に位置して前記蓋体の上方回動により上昇し、下方回動により下降する昇降用部材と、前記昇降用部材の下部に一端側が上下回動可能に連結されて前記ディスクケースの下方位置に前記ディスクケースの厚み方向に沿って配置され、前記蓋体が前記ディスクケース収納部に蓋をしている状態から上方へ回動して開放状態となることにより前記昇降用部材との連結端部側が上昇して傾斜する傾斜用部材と、を備え、前記傾斜用部材の上方に収納された前記複数のディスクケースの下面を前記傾斜用部材の傾斜により上方へ押し上げて前記複数のディスクケースの上端間に段差を形成するようにしたことを特徴とする。
【０００６】
請求項２の発明は、ディスクケースを厚み方向に複数個並べて立てた状態で収納可能なディスクケース収納部を有し、前記ディスクケース収納部の上部がディスクケースの収納及び取り出し口として開口しているボックス本体と、前記ボックス本体に上下回動可能に取り付けられて上方回動により前記ディスクケース収納部の上部を開放し、下方回動により前記ディスクケース収納部に蓋をする蓋体と、よりなるディスクケース用収納ボックスにおいて、少なくとも下部が前記ボックス本体内に位置して前記蓋体の上方回動により上昇し、下方回動により下降する可動部材を備え、前記可動部材は、前記ディスクケースの下方位置に配置される底板部を有すると共に、前記底板部の上面には、前記蓋体が前記ディスクケース収納部に蓋をしている状態から上方へ回動して開放状態となる際の前記可動部材の上昇によって前記ディスクケースの下面を押し上げる複数の押し上げ部を、前記複数のディスクケースにおけるそれぞれの下面と対向する位置に備え、かつ隣り合うディスクケース用の押し上げ部同士については、前記ディスクケースの下面における反対端部側を押し上げて隣り合うディスクケースを反対側へ傾斜させるように設けたことを特徴とする。
【発明の効果】
【０００７】
請求項１の発明によれば、ディスクケース用収納ボックスからディスクケースを取り出すために蓋体を上方へ回動させてディスクケース収納部の蓋を開けると、ディスクケース収納部内に収納されている複数のディスクケースが蓋体の上方回動に伴って上昇し、複数のディスクケースの一端から他端へ向かってディスクケースの上面が階段状に配置されて隣り合うディスクケースの上面間に段差が発生するため、目的とするディスクケースの上部を隣のディスクケースに邪魔されることなく掴むのが容易になり、ディスクケースが取り出し易くなる。
【０００８】
請求項２の発明によれば、ディスクケース用収納ボックスからディスクケースを取り出すために蓋体を上方へ回動させてディスクケース収納部の蓋を開けると、ディスクケース収納部内に収納されている複数のディスクケースは、下面の片側端部が蓋体の上方回動に伴い押し上げられて傾斜し、その際、隣り合うディスクケースについては互いに反対方向へ傾斜して上面の反対側端部が交互に上方へ突出するため、目的とするディスクケースの上部を隣のディスクケースに邪魔されることなく掴むのが容易になり、ディスクケースが取り出し易くなる。
【発明を実施するための最良の形態】
【０００９】
以下この発明の実施形態を詳細に説明する。図１は本発明の第一実施例にかかるディスクケース用収納ボックスの蓋体上方回動時の斜視図、図２は同第一実施例の図１の状態における平面図、図３は同第一実施例の図１の状態における縦断面図、図４は同第一実施例における蓋体を閉じた状態の縦断面図、図５は同第一実施例における蓋体の上方回動とディスクケースの上昇を示す縦断面図、図６は同第一実施例における可動部材の分解斜視図である。
【００１０】
図１乃至図４に示した第一実施例のディスクケース用収納ボックス１０は、自動車用コンソールボックスとして使用されるもので、ボックス本体１１と蓋体３１及び可動部材４１を備える。
【００１１】
ボックス本体１１は、ほぼ直方体形状からなり、ＣＤやＤＶＤ等の記録媒体ディスクが着脱可能に収容されるディスクケースを厚み方向に複数個並べて立てた状態で収納可能なディスクケース収納部１３を有し、前記ディスクケース収納部１３の上部がディスクケースの収納及び取り出し口として開口している。前記ボックス本体１１は、前記ボックス本体１１の長さ方向Ｌ１に沿う一組の側壁１４１，１４２と、幅方向Ｗ１に沿う一組の側壁１５１，１５２と底面１５３とで構成される。
【００１２】
前記ボックス本体１１の長さ方向Ｌ１に沿う側壁１４１，１４２の内面には、ディスクケースのそれぞれを立てた状態で保持するガイドリブ１５が所定間隔で形成されている。また、前記ディスクケース収納部１３に収納されたディスクケースの厚み方向（図３及び図５の５−Ｂに示すＤ１方向）に対して平行方向となる前記ボックス本体１１の長さ方向Ｌ１の一端には、前記側壁１５２の上面に蓋体３１がヒンジ部材１６で上下回動可能に取り付けられ、蓋体３１の上方回動によって前記ディスクケース収納部１３の上部を開放してディスクケースを取り出せるようにし、一方、前記蓋体３１を前記開放状態から下方回動することによって前記ディスクケース収納部１３に蓋をするようになっている。
【００１３】
前記蓋体３１は、少なくとも前記ディスクケース収納部１３に蓋をすることができる大きさからなり、本実施例では平面形状が前記ボックス本体１１の上面とほぼ等しい大きさの長方形となっている。前記蓋体３１は、長さ方向の一端が前記ヒンジ部材１６を介して前記ボックス本体１１に上下回動可能に取り付けられている。また、前記蓋体３１の下面には前記ヒンジ部材１６側の端部に昇降用係合部１７が設けられている。本実施例の昇降用係合部１７は、蓋体３１への固定用基部１７１と昇降用係合片１７２とで構成され、前記蓋体３１の下面のヒンジ部材側端部において、前記ボックス本体１１の幅方向Ｗ１のほぼ中央位置に設けられている。前記固定用基部１７１は、接着剤やねじ等で蓋体３１に固定される。また、前記昇降用係合片１７２は、細い板状とされて蓋体３１の下面のヒンジ部材側端部から前記ディスクケース収納部１３側へ突出しており、前記蓋体３１と共に上下回動する。さらに、本実施例では前記昇降用係合片１７２は、前記蓋体３１が上方へ回動して前記ディスクケース収納部１３を開放した際に上向きに傾斜し、一方、前記蓋体３１が下方へ回動して前記ディスクケース収納部１３に蓋をした際に下向きに傾斜するように形成されている。なお、前記昇降用係合部１７は、前記蓋体３１から直接形成されたものでもよく、また、固定用基部１７１を無くして前記昇降用係合片１７２のみが前記蓋体３１から直接形成されたものでもよい。
【００１４】
可動部材４１は、図６の分解斜視図に示すように、昇降用部材４２と傾斜用部材４５とよりなる。前記昇降用部材４２は、少なくとも下部が前記ボックス本体１１内に位置して前記蓋体３１の上下回動により昇降するものである。本実施例の昇降用部材４２は、前記ボックス本体１１内の上下寸法とほぼ等しい上下寸法の板状からなり、上部には前記昇降用係合片１７１が挿入されて係合するための係合孔４３が形成されている。また、前記昇降用部材４２の下部には軸挿入孔４４が前記ボックス本体１１の幅方向Ｗ１に沿って形成されている。なお、前記ボックス本体１１の側壁１５２には、前記昇降用部材４２の昇降時に、前記昇降用部材４２が前記ボックス本体１１の長さ方向Ｌ１に移動するのを防ぐ昇降ガイド部１８が形成されている。図示の昇降ガイド部１８は、前記昇降用部材４２の幅方向両縁を前記側壁１５２との間で挟む断面略Ｌ字形からなる。
【００１５】
傾斜用部材４５は、前記昇降用部材４２の下部に一端側が上下回動可能に連結されて前記ディスクケース収納部１３の下部におけるディスクケースの下方位置に、前記ディスクケースの厚み方向（本実施例ではボックス本体１１の長さ方向Ｌ１）に沿って配置され、前記蓋体３１が前記ディスクケース収納部１３に蓋をしている状態（図４及び図５の（５−Ａ））から上方へ回動して開放状態（図１乃至図３及び図５の（５−Ｂ））となる際の前記昇降用部材４２の上昇により、前記昇降用連結部材４２との連結端部側が上昇して傾斜するものである。本実施例の傾斜用部材４５は、図２から理解されるように、前記側壁１４１，１４２のガイドリブ１５間より幅が狭く、前記ディスクケース収納部１３の長さより僅かに短い板状からなり、図６に示すように昇降用部材側の一端に昇降用部材４２の下部を挟むことができるように突出した突出部４７，４７を有し、前記突出部４７，４７に軸挿入孔４８，４８が形成されている。前記傾斜用部材４５の一端と前記昇降用部材４２の下部とは、前記軸挿入孔４４，４８に挿入した軸５１により連結され、前記傾斜用部材４５が前記前記昇降用部材４２の下部で上下回動可能とされる。前記軸５１の両端には、ワッシャ５２が嵌着される。
【００１６】
また、前記傾斜用部材４５の他端側（昇降用部材４２とは反対端側）は、前記ボックス本体１１の底面１５３に立設された支持部１９にディスクケースの厚み方向（本実施例ではボックス本体１１の長さ方向Ｌ１）に沿ってスライド可能に取り付けられている。図の例では、前記支持部１９にディスクケースの厚み方向に沿って長孔１９１（図３及び図５の（５−Ｂ）に示す）が形成され、前記傾斜用部材４５の他端側に形成された軸挿入孔４９と前記支持部１９の長孔１９１に軸５３が挿入されて前記軸５３の両端にワッシャ５４が嵌着されている。前記支持部１９の長孔１９１は、前記軸５３がボックス本体１１の長さ方向Ｌ１に沿ってスライド可能なサイズからなる。
【００１７】
このように構成された前記ディスクケース用収納ボックス１０は、図３に示すように、前記蓋体３１を上方へ回動して前記ディスクケース収納部１３の上方を開放した状態で、前記ディスクケース収納部１３内のガイドリブ１５間に上方からディスクケースＦ１が挿入され、ディスクケースＦ１の厚み方向Ｄ１に複数個並べて立てた状態とされる。次いで、前記蓋体３１が下方へ回動されることにより、図５の（５−Ａ）に示すように、ディスクケース収納部１３に蓋をする。前記ディスクケース収納部１３に蓋をした状態では、前記昇降用係合片１７２が下向きに傾斜しており、前記昇降用係合片１７２と前記係合孔４３で係合している前記昇降用部材４２が下降位置にある。また、前記昇降用部材４２の下部に連結されている前記傾斜用部材４５が、前記ディスクケースＦ１の厚み方向Ｄ１（本実施例ではボックス本体１１の長さ方向Ｌ１と同一方向）に沿ってほぼ水平になっており、前記傾斜用部材４５上に前記ディスクケースＦ１が立てて載置された状態で前記ディスクケース収納部１３に収納されている。このとき、前記ディスクケース収納部１３に立てて収納されている複数のディスクケースＦ１は、ディスクケースＦ１の厚み方向Ｄ１に沿って上面ＦＳがほぼ一直線の水平になっている。
【００１８】
前記ディスクケース収納部１３に蓋をした状態から前記蓋体３１を上方へ回動させると、前記蓋体３１と共に前記昇降用係合片１７２が上方へ回動して図５の（５−Ｂ）に示すように上向きに傾斜し、前記昇降用係合片１７２と係合している前記昇降用部材４２が上昇する。そして前記昇降用部材４２の下部に連結されている前記傾斜用部材４５の連結側端部が上昇し、また前記傾斜用部材４５の他端が前記支持部１９の長孔１９１に沿って水平方向にスライドし、傾斜用部材４５が傾斜する。これによって傾斜用部材４５上に立てて載置されている複数のディスクケースＦ１は、下面が傾斜用部材４５の傾斜に応じて押し上げられて前記昇降用部材４２側で高くなり、一方、前記他端側では低くなり、複数のディスクケースＦ１の上面ＦＳが階段状に配置されてディスクケースＦ１の上面ＦＳ間に段差が発生する。そのため、目的とするディスクケースの上部を隣のディスクケースに邪魔されることなく掴むのが容易になり、ディスクケースが取り出し易くなる。
【００１９】
次に、第二実施例のディスクケース用収納ボックス１０Ａについて説明する。第二実施例のディスクケース用収納ボックス１０Ａは、厚み方向に複数個並べて立てた状態で収納した複数のディスクケースにおいて隣り合うディスクケースを、蓋体の上方回動によりディスクケースの幅方向に反対方向へ傾斜させて、隣り合うディスクケースの上面の反対側端部を互いに上方へ突出させることにより、目的とするディスクケースを隣のディスクケースに邪魔されることなく掴み易くするものである。
【００２０】
図７は本発明の第二実施例にかかるディスクケース用収納ボックスの蓋体上方回動時の斜視図、図８は同第二実施例の図７の状態における縦断面図、図９は同第二実施例における蓋体を閉じた状態の縦断面図、図１０は同第二実施例における蓋体の斜視図、図１１は同第二実施例における可動部材の斜視図である。
【００２１】
第二実施例のディスクケース用収納ボックス１０Ａは、ボックス本体１１Ａと蓋体３１Ａ及び可動部材４１Ａを備え、ディスクケースをボックス本体１１Ａの長さ方向Ｌ２と平行にし、かつディスクケースの厚み方向に並べて立てて収容可能なものである。
【００２２】
ボックス本体１１Ａは、上方が開口したほぼ直方体形状からなり、前記ボックス本体１１Ａの長さ方向Ｌ２に沿う一組の側壁１４１Ａ，１４２Ａと、幅方向Ｗ２に沿う一組の側壁１５１Ａ，１５２Ａと底面１５３Ａとで構成される。前記各側壁の上端は内方へ屈曲している。前記ボックス本体１１Ａの長さ方向Ｌ２の一側には、ディスクケースを厚み方向に複数個並べて立てた状態で収納可能なディスクケース収納部１３Ａを有し、前記ディスクケース収納部１３Ａの上部がディスクケースの収納及び取り出し口として開口している。また、本実施例では、前記ボックス本体１１Ａの長さ方向Ｌ２の他側に小物収納部６０Ａを有する。
【００２３】
ディスクケース収納部１３Ａは、上方が開口した略角箱形状からなり、側壁上端が外方へ屈曲し、また、底面１４２Ａは周縁を所定量残して開口部１４３Ａがボックス本体１１Ａの幅方向Ｗ２に沿って形成されている。前記ディスクケース収納部１３Ａは、前記ボックス本体１１Ａ内に配置されて前記側壁の上端の外方屈曲部が前記ボックス本体１１Ａの側壁上端と小物収納部６０Ａの側壁上端に載置されている。また、前記ディスクケース収納部１３Ａは、前記ボックス本体１１Ａの幅方向Ｗ２に沿う側壁１３１Ａ，１３２Ａの対向する内面に、ディスクケースのそれぞれを立てた状態で保持するガイドリブ１５Ａが所定間隔で形成されている。前記ディスクケース収納部１３Ａの底面１４２Ａは、前記ボックス本体１１Ａの底面１５３Ａから所定量上方に位置して前記ディスクケース収納部１３Ａの底面１４２Ａとボックス本体１１Ａの底面１５３Ａ間に隙間が形成されている。
【００２４】
小物収納部６０Ａは、上方が開口したほぼ直方体形状からなり、側壁上端が外方へ屈曲しており、前記ボックス本体１１Ａ内に配置されて前記側壁上端の外方屈曲部が、前記ボックス本体１１Ａの側壁上端の屈曲部と前記ディスクケース収納部１３Ａの側壁上端の屈曲部に重なっている。
【００２５】
また、前記ボックス本体１１Ａには、前記ディスクケース収納部１３Ａに収納されたディスクケースに対して平行方向（図７のＥ２方向、本実施例ではボックス本体１１Ａの長さ方向Ｌ２と等しい）となる前記ボックス本体１１Ａの一端側の上部には、すなわち本実施例では前記ボックス本体１１Ａの長さ方向Ｌ２の一端側の上部には、蓋体３１Ａが上下回動可能に取り付けられて、蓋体３１Ａの上方回動により前記ディスクケース収納部１３Ａの上部を開放し、下方回動により前記ディスクケース収納部１３Ａに蓋をするようになっている。前記蓋体３１Ａの取り付けは、前記ボックス本体１１Ａにおける前記ディスクケース収納部１３Ａ側の端部に位置する側壁１５２Ａの上面１５４Ａに、回動連結部材３３Ａによって行われている。
【００２６】
前記蓋体３１Ａは、少なくとも前記ディスクケース収納部１３Ａに蓋をすることができる大きさからなり、本実施例では平面形状が前記ボックス本体１１Ａの上面とほぼ等しい大きさの長方形となっている。前記蓋体３１Ａは、長さ方向の一端が前記回動連結部材３３Ａを介して前記ボックス本体１１に上下回動可能に取り付けられている。
【００２７】
回動連結部材３３Ａは、図１０に示すように、断面略コの字形状をした棒状からなる蓋体側固定部材３４Ａと、平板状からなるボックス本体側固定部材３５Ａと、前記蓋体側固定部材３４Ａとボックス本体側固定部材３５Ａを回動可能に連結する２個のヒンジ部材３６Ａとよりなる。前記２個のヒンジ部材３６Ａは離して設けられ、前記蓋体側固定部材３４Ａにおける前記ヒンジ部材３６Ａ間の部分には昇降用係合片３７Ａが突出して形成されている。図示の例では前記昇降用係合片３７Ａは、細い板状片からなり、前記蓋体３１Ａが上方へ回動して前記ディスクケース収納部１３Ａを開放する際に、前記蓋体３１Ａと共に上方へ回動して上向きに傾斜した状態となり、一方、前記蓋体３１Ａが下方へ回動して前記ディスクケース収納部１３Ａに蓋をする際には、前記蓋体３１Ａと共に下方へ回動して下向きに傾斜するように形成されている。また、前記ボックス本体側固定部材３５Ａには、前記昇降用係合片３７Ａの上下回動時に昇降用係合片３７Ａの通過を可能にすると共に、後述する可動部材４１Ａの底板支持部４２Ａの上部を通過させて上下動可能にする回動用開口部３８Ａが形成されている。なお、前記ボックス本体側固定部材３５Ａと前記蓋体側固定部材３４Ａ及びヒンジ部材３６Ａは、それぞれねじや接着剤等で取付部位に取り付けられる。なお、前記ボックス本体側固定部材３５Ａが取り付けられるボックス本体１１Ａの側壁１５２Ａの上面１５４Ａは、前記回動用開口部３８Ａに合わせて孔が形成されている。
【００２８】
可動部材４１Ａは、図１１に示すように、底板支持部４２Ａと底板部４５Ａとによって側面形状が略Ｌ字形状に形成されている。
【００２９】
底板支持部４２Ａは、図８及び図９に示すように、少なくとも下部が前記ボックス本体１１Ａ内に位置する長さからなる。本実施例の底板支持部４２Ａは、前記回動用開口部３８Ａに挿入可能な横幅からなり、上部には前記昇降用係合片３７Ａが挿入されて係合するための係合孔４３Ａが形成された上下方向の板状からなる。また、前記底板支持部４２Ａは、前記ディスクケース収納部１３Ａとボックス本体の側壁１５２Ａ間に配置されると共に、前記ボックス本体１１Ａの底面１５３Ａに立設された底板ガイド部１８Ａのガイド孔１９Ａに挿入されて、前記可動部材４１Ａの昇降時に底板支持部４２Ａが前記ディスクケースの平行方向Ｅ２（本実施例ではボックス本体１１Ａの長さ方向Ｌ２と同一方向）へ移動するのが防止され、前記可動部材４１Ａがほぼ垂直に昇降するようにされている。
【００３０】
底板部４５Ａは前記底板支持部４２Ａの下部から前記ディスクケース収納部１３Ａの下方へ至るように形成され、前記ディスクケース収納部１３Ａの底面１４２Ａより大形状にされている。前記底板部４５Ａの上面には、前記ディスクケース収納部１３Ａに収納された複数のディスクケースにおけるそれぞれの下面と対向して複数の押し上げ部５１Ａが突設されている。
【００３１】
前記押し上げ部５１Ａは、前記蓋体３１Ａが前記ディスクケース収納部１３Ａに蓋をしている図９の状態から上方へ回動して図８に示す開放状態となる際の前記可動部材４１Ａの上昇によって、前記ディスク収納部１３Ａ内のディスクケースの下面における片側端部を押し上げ、隣り合うディスクケースを互いにディスクケースの幅方向（本実施例では前記ボックス本体１１Ａの長さ方向Ｌ２と同一方向）の反対方向へ傾斜させるものである。前記押し上げ部５１Ａは、前記蓋体３１Ａが前記ディスクケース収納部１３Ａに蓋をしている前記可動部材４１Ａの下降状態では、前記ディスクケース収納部１３Ａに収納されているディスクケースの下面の位置より低くなり、それに対して、前記蓋体３１Ａが上方へ回動して前記ディスクケース収納部１３Ａを開放している前記可動部材４１Ａの上昇状態では、前記ディスクケース収納部１３Ａに収納されているディスクケースの下面と当接してディスクケースの下面を押し上げることができるように高さが設定されている。さらに、前記複数の押し上げ部５１Ａは、隣り合うディスクケース用の押し上げ部同士、例えば図１１に示す５１１Ａ、５１２Ａ同士が、それぞれ前記ディスクケースの下面押し上げ時に、前記ディスクケースの下面両端における反対端部側を押し上げるように設けられている。本実施例では、前記隣り合うディスクケース用の押し上げ部５１１Ａと５１２Ａは、上面５１３Ａ，５１４Ａの傾斜が反対とされている。なお、前記押し上げ部５１Ａの上面を傾斜させるのに代えて、前記底板部４５Ａの上面において、前記ディスクケースの下面の押し上げ端部側と対応する側にのみ、ディスクケースの下面押し上げ用突起を設けてもよい。
【００３２】
このように構成された前記ディスクケース用収納ボックス１０Ａは、前記ディスクケース収納部１３Ａに複数のディスクケースを収納して前記蓋体３１Ａで蓋をした図９の状態では、鎖線で示すように複数のディスクケースＦ２は垂直となって全ての上面がほぼ水平状態にある。その際、前記可動部材４１Ａの押し上げ部５１Ａは、前記複数のディスクケースＦ２の下面よりも下方位置にある。
【００３３】
それに対して、前記蓋体３１Ａを上方へ回動して図８のように前記ディスクケース収納部１３Ａを開放させると、前記可動部材４１Ａが上昇すると共に前記押し上げ部５１Ａが上昇してディスクケース収納部１３Ａの底面１４２Ａにおける開口部１４３Ａに進入し、前記ディスクケースＦ２の下面を押し上げる。その際、前記複数の押し上げ部５１Ａは、図１１に示したように、隣り合うディスクケース用の押し上げ部同士（例えば５１１Ａ，５１２Ａ）の上面（例えば５１３Ａ，５１４Ａ）が、ディスクケースの幅方向において反対方向へ傾斜しているため、隣り合うディスクケースは下面の反対端部側が前記押し上げ部５１Ａに押し上げられて互いに反対方向へ傾斜する。それにより、隣り合うディスクケースは、図８の鎖線で示すように、交互に反対側端部が上方へ突出するため、目的とするディスクケースの上部を隣のディスクケースに邪魔されることなく掴むのが容易になり、ディスクケースが取り出し易くなる。
【００３４】
図１２は本発明の第三実施例にかかるディスクケース用収納ボックスの蓋体上方回動時の斜視図、図１３は同第三実施例の図１２の状態における縦断面図、図１４は同第三実施例における蓋体を閉じた状態の縦断面図、図１５は同第三実施例における可動部材の斜視図、図１６はディスクケース収容保持部材と揺動用軸の一部を示す斜視図、図１７は図１４の１７Ａ−１７Ａ断面図、図１３の１７Ｂ−１７Ｂ及び１７Ｃ−１７Ｃ断面図である。
【００３５】
第三実施例にかかるディスクケース用収納ボックス１０Ｂは、ボックス本体１１Ｂと蓋体３１Ｂ及び可動部材４１Ｂを備え、ディスクケースをボックス本体１１Ｂの幅方向Ｗ３と平行に、かつディスクケースの厚み方向に並べて立てて収容可能なものである。
【００３６】
ボックス本体１１Ｂは、上方が開口したほぼ直方体形状からなり、前記ボックス本体１１Ｂの長さ方向Ｌ３に沿う一組の側壁１４１Ｂ，１４２Ｂと、幅方向Ｗ３に沿う一組の側壁１５１Ｂ，１５２Ｂと底面１５３Ｂとで構成される。前記各側壁の上端は内方へ屈曲している。前記側壁１４１Ｂ，１４２Ｂ，１５１Ｂ，１５２Ｂ及び底面１５３Ｂで包囲されるボックス本体１１Ｂの内部空間は、ディスクケースを厚み方向に複数個並べて立てた状態で収納可能なディスクケース収納部１３Ｂを構成し、前記ディスクケース収納部１３Ｂの上部はディスクケースの収納及び取り出し口として開口している。なお、前記ディスクケース収納部１３Ｂの上部は、前記側壁１４１Ｂ，１４２Ｂ，１５１Ｂ，１５２Ｂの上部に装着された枠体１３１Ｂで構成されている。
【００３７】
前記ディスクケース収納部１３Ｂの内部の底面近くには、前記ボックス本体１１Ｂの幅方向Ｗ３の中央位置に、前記ボックス本体１１Ｂの長さ方向Ｌ３に沿って揺動用軸２１Ｂが取り付けられている。図１６にも示すように、前記揺動用軸２１Ｂの外周には、後述するディスクケース保持部材２５Ｂの取付爪２６Ｂを挟んでディスクケース保持部材２５Ｂの位置決めを行う環状リング２２Ｂが所定間隔で形成されている。
【００３８】
前記ディスクケース収容保持部材２５Ｂは、図１６に示すように、前記ボックス本体１１Ｂの長さ方向Ｌ３に沿う厚みが薄く、それに対して前記ボックス本体１１Ｂの幅方向Ｗ３に沿う幅が大きく、かつ上方が開口し、前記ディスクケースの１個を上方から挿入した際にディスクケースの上部が突出した状態で保持可能な深さのケース形状からなる。前記ディスクケース収容保持部材２５Ｂの底面の外面には、ディスクケース収容保持部材２５Ｂの幅方向（前記ボックス本体１１Ｂの幅方向Ｗ３と同じ方向）の中央位置に、前記揺動用軸２１Ｂの嵌る凹溝２７Ｂを下向きに有する取付爪２６Ｂが形成されている。前記ディスクケース収容保持部材２５Ｂは、前記揺動用軸２１Ｂの環状リング２２Ｂ間に前記取付爪２６Ｂが嵌められて前記ボックス本体１１Ｂの長さ方向Ｌ３に複数個取り付けられ、それぞれ前記ボックス本体１１Ｂの幅方向Ｗ３へ揺動可能にされている。
【００３９】
また、前記ボックス本体１１Ｂには、前記ディスクケース収納部１３Ｂに収納されたディスクケースの厚み方向（図１３のＤ３方向、本実施例ではボックス本体１１Ｂの長さ方向Ｌ３と等しい）における前記ボックス本体１１Ｂの一端側の上部には、すなわち本実施例では前記ボックス本体１１Ｂの長さ方向Ｌ３の一端側の上部には、蓋体３１Ｂが上下回動可能に取り付けられて、蓋体３１Ｂの上方回動により前記ディスクケース収納部１３Ｂの上部を開放し、下方回動により前記ディスクケース収納部１３Ｂに蓋をするようになっている。前記蓋体３１Ｂの取り付けは、前記ボックス本体１１Ｂにおける前記ディスクケース収納部１３Ｂ側の端部に位置する側壁１５２Ｂの上面１５４Ｂに、回動連結部材３３Ｂによって行われている。
【００４０】
前記蓋体３１Ｂは、第二実施例の蓋体３１Ａと同様の構成からなり、少なくとも前記ディスクケース収納部１３Ｂに蓋をすることができる大きさとされ、本実施例では平面形状が前記ボックス本体１１Ｂの上面とほぼ等しい大きさの長方形となっている。前記蓋体３１Ｂは、長さ方向の一端が前記回動連結部材３３Ｂを介して前記ボックス本体１１に上下回動可能に取り付けられている。なお、前記回動連結部材３３Ｂは第二実施例の回動連結部材３３Ａと同様の構成からなり、第二実施例の回動連結部材３３Ａの説明に用いた図１０に、第三実施例の回動連結部材３３Ｂにおける各部の符号を併記した。
【００４１】
回動連結部材３３Ｂは、図１０に示すように、断面略コの字形状をした棒状からなる蓋体側固定部材３４Ｂと、平板状からなるボックス本体側固定部材３５Ｂと、前記蓋体側固定部材３４Ｂとボックス本体側固定部材３５Ｂを回動可能に連結する２個のヒンジ部材３６Ｂとよりなる。前記２個のヒンジ部材３６Ｂは離して設けられ、前記蓋体側固定部材３４Ｂにおける前記ヒンジ部材３６Ｂ間の部分には昇降用係合片３７Ｂが突出して形成されている。図示の例では前記昇降用係合片３７Ｂは、細い板状片からなり、前記蓋体３１Ｂが上方へ回動して前記ディスクケース収納部１３Ｂを開放する場合に、前記蓋体３１Ｂと共に上方へ回動して上向きに傾斜した状態となり、一方、前記蓋体３１Ｂが下方へ回動して前記ディスクケース収納部１３Ｂに蓋をする場合には、前記蓋体３１Ｂと共に下方へ回動して下向きに傾斜するように形成されている。また、前記ボックス本体側固定部材３５Ｂには、前記昇降用係合片３７Ｂの上下回動時に昇降用係合片３７Ｂの通過を可能にすると共に、後述する可動部材４１Ｂの底板支持部４２Ｂの上部を通過させて上下動可能にする回動用開口部３８Ｂが形成されている。なお、前記ボックス本体側固定部材３５Ｂと前記蓋体側固定部材３４Ｂ及びヒンジ部材３６Ｂは、それぞれねじや接着剤等で取付部位に取り付けられる。なお、前記ボックス本体側固定部材３５Ｂが取り付けられるボックス本体１１Ｂの側壁１５２Ｂの上面１５４Ｂは、前記回動用開口部３８Ｂに合わせて孔が形成されている。
【００４２】
可動部材４１Ｂは、図１５に示すように、底板支持部４２Ｂと底板部４５Ｂとによって側面形状が略Ｌ字形状に形成されている。
【００４３】
底板支持部４２Ｂは、図１３及び図１４に示すように、少なくとも下部が前記ボックス本体１１Ｂ内に位置する長さからなる。本実施例の底板支持部４２Ｂは、前記回動用開口部３８Ｂに挿入可能な横幅からなり、上部には前記昇降用係合片３７Ｂが挿入されて係合するための係合孔４３Ｂが形成された上下方向の板状からなる。また、前記底板支持部４２Ｂは、前記ボックス本体の側壁１５２Ｂの内面にほぼ沿って配置されると共に、前記ボックス本体１１Ｂの底面１５３Ｂに立設された底板ガイド部１８Ｂのガイド孔１９Ｂに挿入されて、前記可動部材４１Ｂの昇降時に底板支持部４２Ｂが前記ディスクケースの厚み方向へ移動するのが防止され、前記可動部材４１Ｂがほぼ垂直に昇降するようにされている。
【００４４】
底板部４５Ｂは前記底板支持部４２Ｂの下部からボックス本体１１Ｂの他端側（前記蓋体３１Ｂの取付側とは反対側）へ至るように形成されている。前記底板部４５Ｂは前記ディスクケース収容保持部材２５Ｂの幅と略等しい幅とされ、中央には可動部材４１Ｂの昇降時に前記ディスクケース収容保持部材２５Ｂの取付爪２６Ｂ及び揺動用軸２１Ｂの挿入可能な昇降用開口部４６Ｂが前記ボックス本体１１Ｂの長さ方向Ｌ３に沿って形成されている。また、前記底板部４５Ｂの上面には前記ボックス本体１１Ｂの幅方向Ｗ３における前記昇降用開口部４６Ｂの両側に、前記複数のディスクケース保持部材２５Ｂの下面と対向して複数の押し上げ部５１Ｂが突設されている。
【００４５】
前記押し上げ部５１Ｂは、前記蓋体３１Ｂが前記ディスクケース収納部１３Ｂに蓋をしている図１４の状態から上方へ回動して図１３に示す開放状態となる際の前記可動部材４１Ｂの上昇により、前記ディスクケース収容保持部材２５Ｂの下面における片側端部を押し上げて、隣り合うディスクケース収容保持部材２５Ｂに収容されているディスクケースの下面を押し上げて互いにディスクケースの幅方向の反対方向へ傾斜させるものである。前記押し上げ部５１Ｂは、前記蓋体３１Ｂが前記ディスクケース収納部１３Ｂに蓋をしている前記可動部材４１Ｂの下降状態では、前記ディスクケース収容保持部材２５Ｂの下面より低く、それに対して、前記蓋体３１Ｂが上方へ回動して前記ディスクケース収納部１３Ｂを開放している前記可動部材４１Ａの上昇状態では、前記ディスクケース収容保持部材２５Ｂの下面と当接してディスクケース収容保持部材２５Ｂの下面を押し上げることができるように高さが設定されている。さらに、前記複数の押し上げ部５１Ｂは、隣り合うディスクケース収容保持部材用の押し上げ部同士、例えば図１５に示す５１１Ｂ、５１２Ｂ同士が、それぞれ前記ディスクケース収容保持部材の下面押し上げ時に、前記ディスクケース収容保持部材の下面両端における反対端部を押し上げるように設けられている。本実施例では、前記隣り合うディスクケース収容保持部材用（すなわち隣り合うディスクケース用）の押し上げ部５１１Ｂと５１２Ｂは、前記ディスクケース収容保持部材の幅方向、すなわちディスクケースの幅方向（本実施例ではボックス本体１１Ｂの幅方向Ｗ３と同一方向）において反対端部側に設けられている。
【００４６】
このように構成された前記ディスクケース用収納ボックス１０Ｂは、前記ディスクケース収納部１３Ｂ内の複数のディスクケース収容保持部材２５Ｂにそれぞれディスクケースを収納して前記蓋体３１Ａで蓋をした図１４の状態においては、図１７の（１７−Ａ）に示すように、複数のディスクケース収容保持部材２５Ｂの全てがほぼ垂直となり、鎖線で示すようにディスクケースＦ３は全ての上面がほぼ水平になる。その際、前記可動部材４１Ｂの押し上げ部５１Ｂは、前記複数のディスクケース収容保持部材２５Ｂの底面よりも下方に位置する。
【００４７】
それに対して、前記蓋体３１Ｂを上方へ回動して図１３のように前記ディスクケース収納部１３Ｂを開放させると、前記可動部材４１Ｂが上昇すると共に前記押し上げ部５１Ｂが上昇してディスクケース収容保持部材２５Ｂの底面の片側端部に当接して該片側端部を押し上げ、ディスクケース収容保持部材２５Ｂを幅方向へ揺動させる。その際、図１７の（１７−Ｂ）及び（１７−Ｃ）のように、前記複数の押し上げ部５１Ｂは、隣り合うディスクケース収容保持部材用の押し上げ部同士が、ディスクケース収容保持部材２５Ｂの幅方向において反対端部側に設けられているため、隣り合うディスクケース収容保持部材２５Ｂが互いに反対方向へ傾斜する。それにより、厚み方向に隣り合うディスクケースＦ３は、図１７の（１７−Ｂ）及び（１７−Ｃ）における鎖線で示すように、互いに下面における反対の端部側が押し上げられて交互に反対側端部が上方へ突出することになるため、目的とするディスクケースの上部を隣のディスクケースに邪魔されることなく掴むのが容易になり、ディスクケースが取り出し易くなる。
【００４８】
なお、本発明は前記実施例に限定されるものではなく、本発明の趣旨を逸脱しない範囲において変更可能である。例えば、前記第二実施例において第三実施例のようなディスクケース収容保持部材と揺動用軸を用いる構成としたり、前記第三実施例において第二実施例のようにディスクケースの下面を可動部材の押し上げ部で直接押し上げるようにしたりしてもよい。
【図面の簡単な説明】
【００４９】
【図１】本発明の第一実施例にかかるディスクケース用収納ボックスの蓋体上方回動時の斜視図である。
【図２】同第一実施例の図１の状態における平面図である。
【図３】同第一実施例の図１の状態における縦断面図である。
【図４】同第一実施例における蓋体を閉じた状態の縦断面図である。
【図５】同第一実施例における蓋体の上方回動とディスクケースの上昇を示す縦断面図である。
【図６】同第一実施例における可動部材の分解斜視図である。
【図７】本発明の第二実施例にかかるディスクケース用収納ボックスの蓋体上方回動時の斜視図である。
【図８】同第二実施例の図７の状態における縦断面図である。
【図９】同第二実施例における蓋体を閉じた状態の縦断面図である。
【図１０】同第二実施例における蓋体の斜視図である。
【図１１】同第二実施例における可動部材の斜視図である。
【図１２】本発明の第三実施例にかかるディスクケース用収納ボックスの蓋体上方回動時の斜視図である。
【図１３】同第三実施例の図１２の状態における縦断面図である。
【図１４】同第三実施例における蓋体を閉じた状態の縦断面図である。
【図１５】同第三実施例における可動部材の斜視図である。
【図１６】ディスクケース収容保持部材と揺動用軸の一部を示す斜視図である。
【図１７】図１４の１７Ａ−１７Ａ断面図、図１３の１７Ｂ−１７Ｂ及び１７Ｃ−１７Ｃ断面図である。
【図１８】従来のディスクケース用収納ボックスの一部を示す斜視図である。
【図１９】従来のディスクケース用収納ボックスの一部を示す正面図である。
【符号の説明】
【００５０】
１０，１０Ａ，１０Ｂ  第一、第二、第三実施例のディスクケース用収納ボックス
１１，１１Ａ，１１Ｂ  第一、第二、第三実施例におけるボックス本体
１３，１３Ａ，１３Ｂ  第一、第二、第三実施例におけるディスクケース収納部
３１，３１Ａ，３１Ｂ  第一、第二、第三実施例における蓋体
４１，４１Ａ，４１Ｂ  第一、第二、第三実施例における可動部材
４２  第一実施例における昇降用部材
４２Ａ，４２Ｂ  第二、第三実施例における底板支持部
４５  第一実施例における傾斜用部材
４５Ａ，４５Ｂ  第二、第三実施例における底板部
５１Ａ，５１Ｂ  第二、第三実施例における押し上げ部
【図１】
2006321514.tif 000003
【図２】
2006321514.tif 000004
【図３】
2006321514.tif 000005
【図４】
2006321514.tif 000006
【図５】
2006321514.tif 000007
【図６】
2006321514.tif 000008
【図７】
2006321514.tif 000009
【図８】
2006321514.tif 000010
【図９】
2006321514.tif 000011
【図１０】
2006321514.tif 000012
【図１１】
2006321514.tif 000013
【図１２】
2006321514.tif 000014
【図１３】
2006321514.tif 000015
【図１４】
2006321514.tif 000016
【図１５】
2006321514.tif 000017
【図１６】
2006321514.tif 000018
【図１７】
2006321514.tif 000019
【図１８】
2006321514.tif 000020
【図１９】
2006321514.tif 000021